(57)【要約】【課題】同じカメラからの画像をユーザ側装置で受信する場合に毎回カメラを指定するという煩雑な作業を行う必要のない画像通信装置を提供することを目的とする。【解決手段】通信機能を持つ複数のカメラと通信を行うことができる画像通信装置であって、画像信号や音声信号などの送信を行う送信部１と、画像信号や音声信号などの受信を行う受信部２と、ユーザ名称とカメラとを対応付けてデータベース３に登録するためのカメラ登録部４と、全体の制御を行う制御部５とを有する。【選択図】  図１
2005006156.tif 000002
【特許請求の範囲】
【請求項１】
通信機能を持つ複数のカメラと通信を行うことができる画像通信装置であって、
画像信号や音声信号などの送信を行う送信部と、画像信号や音声信号などの受信を行う受信部と、ユーザ名称と前記カメラとを対応付けて記憶部に登録するためのカメラ登録部と、全体の制御を行う制御部とを有することを特徴とする画像通信装置。
【発明の詳細な説明】
【０００１】
【発明の属する技術分野】
本発明は、通信機能を持つ複数のカメラと通信を行うことができる画像通信装置に関するものである。
【０００２】
【従来の技術】
従来から、通信機能を持つ複数のカメラから画像を受信することができる画像通信装置があり、ユーザは、その画像通信装置にアクセスし画像を受信する際、どのカメラの画像を受信するかを選択し、その選択したカメラの画像を受信することができる。
【０００３】
特許文献１には、特定のユーザに対して自動的に撮影を行い、撮影した映像データを該ユーザに提供する無線タグを利用した自動撮影システムが記載されております。すなわち、カメラと、ユーザが携帯する無線タグと、無線タグから送信されるユーザ特定情報を受信する通信基地局と、この通信基地局で受信したユーザ特定情報及びカメラで取得した映像データを受信し、両者を関連づけて記録する画像サーバとを備え、無線タグを携帯するユーザが撮影エリア内に入場した場合に自動的に無線タグから送信されるユーザ特定情報に従って映像データを入手するというものであります。
【０００４】
【特許文献１】
特開２００３−１１６１２７号公報
【０００５】
【発明が解決しようとする課題】
しかしながら、従来の画像通信装置では、どのカメラの画像を受信するかを選択する必要があり、いつも同じカメラからの画像を受信したい場合にも、毎回カメラを指定しなければならないという煩わしさを有していた。
【０００６】
この画像通信装置では、同じカメラからの画像をユーザ側装置で受信する場合に毎回カメラを指定するという煩雑な作業を行う必要のないことが要求されている。
【０００７】
本発明は、この要求を満たすため、同じカメラからの画像をユーザ側装置で受信する場合に毎回カメラを指定するという煩雑な作業を行う必要のない画像通信装置を提供することを目的とする。
【０００８】
【課題を解決するための手段】
上記課題を解決するための本発明の画像通信装置は、通信機能を持つ複数のカメラと通信を行うことができる画像通信装置であって、画像信号や音声信号などの送信を行う送信部と、画像信号や音声信号などの受信を行う受信部と、ユーザ名称とカメラとを対応付けて記憶部に登録するためのカメラ登録部と、全体の制御を行う制御部とを有する構成を備えている。
【０００９】
これにより、同じカメラからの画像をユーザ側装置で受信する場合に毎回カメラを指定するという煩雑な作業を行う必要のない画像通信装置が得られる。
【００１０】
【発明の実施の形態】
本発明の請求項１に記載の画像通信装置は、通信機能を持つ複数のカメラと通信を行うことができる画像通信装置であって、画像信号や音声信号などの送信を行う送信部と、画像信号や音声信号などの受信を行う受信部と、ユーザ名称とカメラとを対応付けて記憶部に登録するためのカメラ登録部と、全体の制御を行う制御部とを有することとしたものである。
【００１１】
この構成により、ユーザがどのカメラからの画像を受信したいのかを予め記憶部に登録し（すなわちユーザ識別子とカメラ識別子とを対応付けて予め記憶部に登録し）、ユーザが画像通信装置にアクセスした場合、画像通信装置は、ＩＰアドレスなどのユーザ識別子を取得し、そのユーザ識別に対応するカメラ識別子を記憶部から取得し、そのカメラ識別子の示すカメラの画像をユーザに送信することができるので、同じカメラからの画像をユーザ側装置で受信する場合に毎回カメラを指定するという煩雑な作業を防止することができるという作用を有する。
【００１２】
以下、本発明の実施の形態について、図１、図２を用いて説明する。
【００１３】
（実施の形態１）
図１は本発明の実施の形態１による画像通信装置を示すブロック図である。
【００１４】
図１において、１は画像信号や音声信号などの送信を行う送信部、２は画像信号や音声信号などの受信を行う受信部、３は、どのユーザがどのカメラの画像を受信したいのかを対応させて記憶する（すなわちユーザ識別子とカメラ識別子とを対応付けて登録する）記憶部としてのユーザ識別子・カメラ識別子対応データベース、４はどのカメラからの画像を受信したいのかをユーザ識別子・カメラ識別子対応データベース３に登録するカメラ登録部、５は画像通信装置のあらゆる制御（全体制御）を行う制御部である。
【００１５】
以上のように構成された画像通信装置について、その動作を図２を用いて説明する。図２は図１の画像通信装置の動作を示すフローチャートである。ここで、ユーザは予め、所望する画像を撮影するカメラをカメラ登録部４で登録し、登録されたカメラの識別子と登録したユーザの識別子とを対応させてユーザ識別子・カメラ識別子対応データベース３に保存する。
【００１６】
図２において、まず、ユーザがユーザ側装置（図示せず）を介して画像通信装置にアクセスし、画像の受信を希望すると（Ｓ１）、制御部５は、ユーザ識別子・カメラ識別子対応データベース３から、画像の受信を希望したユーザに対応するカメラを選択する（Ｓ２）。このカメラ選択は、１つのカメラでも複数のカメラでもよい。次に、送信部１は、ステップＳ２で選択したカメラに対し画像要求信号を送信する（Ｓ３）。カメラ（図示せず）は、送信部１からの画像要求信号を受信し（Ｓ４）、画像を画像通信装置に送信する（Ｓ５）。次に、受信部２はカメラからの画像を受信し（Ｓ６）、送信部１はカメラから受信した画像をユーザ側装置に送信する（Ｓ７）。
【００１７】
なお、本実施の形態では、ユーザが画像の受信を希望した後、画像通信装置はカメラから画像を取得しているが、常に画像通信装置がカメラからの画像を受信していれば、ユーザが画像の受信を希望した後にカメラに対し画像要求信号を送信しなくても良い。
【００１８】
以上のように本実施の形態によれば、画像信号や音声信号などの送信を行う送信部１と、画像信号や音声信号などの受信を行う受信部２と、ユーザ名称とカメラとを対応付けてデータベース３に登録するためのカメラ登録部４と、全体の制御を行う制御部５とを有することにより、ユーザがどのカメラからの画像を受信したいのかを予めデータベース３に登録し（すなわちユーザ識別子とカメラ識別子とを対応付けて予めデータベース３に登録し）、ユーザが画像通信装置にアクセスした場合、画像通信装置は、ＩＰアドレスなどのユーザ識別子を取得し、そのユーザ識別に対応するカメラ識別子を記憶部４から取得し、そのカメラ識別子の示すカメラの画像をユーザに送信することができるので、同じカメラからの画像をユーザ側装置で受信する場合に毎回カメラを指定するという煩雑な作業を防止することができる。
【００１９】
【発明の効果】
以上説明したように本発明の請求項１に記載の画像通信装置によれば、通信機能を持つ複数のカメラと通信を行うことができる画像通信装置であって、画像信号や音声信号などの送信を行う送信部と、画像信号や音声信号などの受信を行う受信部と、ユーザ名称とカメラとを対応付けて記憶部に登録するためのカメラ登録部と、全体の制御を行う制御部とを有することにより、ユーザがどのカメラからの画像を受信したいのかを予め記憶部に登録し（すなわちユーザ識別子とカメラ識別子とを対応付けて予め記憶部に登録し）、ユーザが画像通信装置にアクセスした場合、画像通信装置は、ＩＰアドレスなどのユーザ識別子を取得し、そのユーザ識別に対応するカメラ識別子を記憶部から取得し、そのカメラ識別子の示すカメラの画像をユーザに送信することができるので、同じカメラからの画像をユーザ側装置で受信する場合に毎回カメラを指定するという煩雑な作業を防止することができるという有利な効果が得られる。
【図面の簡単な説明】
【図１】本発明の実施の形態１による画像通信装置を示すブロック図
【図２】図１の画像通信装置の動作を示すフローチャート
【符号の説明】
１  送信部
２  受信部
３  ユーザ識別子・カメラ識別子対応データベース（記憶部）
４  カメラ登録部
５  制御部
【図１】
2005006156.tif 000003
【図２】
2005006156.tif 000004